(57)【要約】【課題】ニップ確認作業が容易になる印刷機械のニップ確認システム等を提供すること。【解決手段】この発明では、ニップ幅を確認するローラを選択する対象ローラ選択部１０が設けられる。そして、対象が絞りこまれると、選択されたローラ、の回転角度が回転方向を含め、親ギア回転角度演算部１１によって割り出される。これに連繋する親ギア回転駆動部１３は、親ギア１８を一定時間停止させた後に、演算された所望の角度だけ、当該親ギア１８を回転駆動させる。これにより、操作者は、特に親ギア１８の回転方向、回転角度を気にせずに、対象ギアのニップを視認可能となる。【選択図】        図２
2007229954.tif 000002
【特許請求の範囲】
【請求項１】
ニップを確認するローラを選択する対象ローラ選択部と、
前記対象ローラ選択部により選択された前記ローラを所望角度回転させるために必要となる親ギアの回転角度を割り出す親ギア回転角度演算部と、
親ギアを一定時間停止させた後に、前記親ギア回転角度演算部により割り出された角度だけ、当該親ギアを回転駆動させる親ギア回転駆動部と、
を有することを特徴とする印刷機械のニップ確認システム。
【請求項２】
前記親ギア回転角度演算部は、予め割り出しておく角度テーブルを参照して演算することを特徴とする請求項１に記載の印刷機械のニップ確認システム。
【請求項３】
前記対象ローラのニップを確認した後、同一のローラに対して再度前記親ギア回転駆動部によりニップを確認するための回転をさせるか、次に確認したいローラに対して前記親ギア回転駆動部によりニップを確認するための回転をさせるか、の対象選択部を有することを特徴とする請求項１または２に記載の印刷機械のニップ確認システム。
【請求項４】
前記親ギア回転駆動部の駆動に付随して、音声または機械操作部表示にていずれのローラを対象としているかを作業者に伝達する作業者補助部を有することを特徴とする請求項１〜３のいずれか一つに記載の印刷機械のニップ確認システム。
【請求項５】
前記親ギア回転駆動部は、前記親ギア回転角度演算部で演算された角度だけ当該親ギアの回転駆動をする前に、ニップを消すのに十分な回転駆動をすることを特徴とする請求項１〜４のいずれか一つに記載の印刷機械のニップ確認システム。
【請求項６】
保護カバーの表側または裏側に設ける光源と、
前記対象ローラ選択部で選択されるローラ位置に対して前記光源からの光を照射する角度を割り出す光照射角度演算部と、
前記光照射角度演算部で割り出される角度だけ、前記光源または前記光源のシェードに設けられるスリットを回動させる回転駆動部と、
を有することを特徴とする請求項１〜５のいずれか一つに記載の印刷機械のニップ確認システム。
【請求項７】
ニップを確認するローラを選択する対象ローラ選択工程と、
前記対象ローラ選択工程により選択された前記ローラを所望角度回転させるために必要となる親ギアの回転角度を割り出す親ギア回転角度演算工程と、
前記親ギア回転角度演算部により割り出された角度だけ、親ギアを一定時間停止させた後に回転駆動させる親ギア回転駆動工程と、
をコンピュータに実行させるためのプログラム。
【請求項８】
前記親ギア回転角度演算工程は、予め割り出しておく角度テーブルを参照して演算することを特徴とする請求項７に記載のプログラム。
【請求項９】
前記対象ローラのニップを確認した後、同一のローラに対して再度前記親ギア回転駆動工程によりニップを確認するための回転をさせるか、次に確認したいローラに対して前記親ギア回転駆動工程によりニップを確認するための回転をさせるか、の対象選択工程を有することを特徴とする請求項７または８に記載のプログラム。
【請求項１０】
前記親ギア回転駆動工程は、前記親ギア回転角度演算工程で演算された角度だけ当該親ギアの回転駆動をする前に、ニップを消すのに十分な回転駆動をすることを特徴とする請求項７〜９のいずれか一つに記載のプログラム。
【発明の詳細な説明】
【技術分野】
【０００１】
本発明は、ローラ群のニップを確認するための印刷機械のニップ確認システム、およびニップ確認に供するプログラムに関するものである。
【背景技術】
【０００２】
多数のローラを使って紙に印刷するオフセット印刷機、凸版印刷機、輪転機、その他の印刷機械では、従来から、ローラ間の接触巾を確認するニップ確認作業が行われている。ニップ圧は印刷結果を左右するため、従来から種々の確認手法が提案されているが、オペレータの熟練技術に頼らないようにするためにセンサ等を用いても、現実には光源などとの兼ね合いや装置単価の問題があるため、確実かつ容易な方法が求められているのが現状である（例えば特許文献１参照）。
【０００３】
【特許文献１】特開２００１−２０５７８６号公報
【発明の開示】
【発明が解決しようとする課題】
【０００４】
当然ながら、ニップ確認には、対象ローラを正転させる場合と、逆転させる場合がある。しかしながら、複数のローラを介して当該対象ローラを連動させるための駆動源の電動機自体をどちらの方向に回転させれば、対象ローラが所望の方向で、所望の角度、回転するのか非常に判りにくいのが現状である。また、ローラ群は、印刷ユニット内に密に、しかも複雑に配設されるので、対象となるローラを視認できるスペースが小さい場合もあり、対象ローラを誤認するおそれもある。
【０００５】
そこで、この発明は、上記に鑑みてなされたものであって、ニップ確認作業を確実かつ容易にする印刷機械のニップ確認システム、およびこれらをコンピュータに実施させるプログラムを提供することを目的とする。
【課題を解決するための手段】
【０００６】
上述の目的を達成するために、この発明による印刷機械のニップ確認システムは、ニップを確認するローラを選択する対象ローラ選択部と、前記対象ローラ選択部により選択された前記ローラを所望角度回転させるために必要となる親ギアの回転角度を割り出す親ギア回転角度演算部と、親ギアを一定時間停止させた後に、前記親ギア回転角度演算部により割り出された角度だけ、当該親ギアを回転駆動させる親ギア回転駆動部と、を有するようにしたものである。
【０００７】
まず、ニップを確認したいローラが対象ローラ選択部で選択され、対象が絞られる。対象ローラが絞られると、操作者が見やすい角度がわかるので、対象ローラを当該角度だけ回転（回動）させるための親ギア回転角度が親ギア回転角度演算部にて割り出される。親ギア回転駆動部では、割り出された角度だけ、実際に親ギアを回転駆動（回動駆動）させる。ニップは、ローラ同士が接触する圧痕なので、当該圧痕をつけるために、親ギアは、一定時間停止した後に、上記角度だけ回転駆動させる。これにより、操作者は、特に親ギアの回転方向、回転角度を気にせずに、対象ギアのニップを視認可能となる。
【０００８】
つぎの発明による印刷機械のニップ確認システムは、前記印刷機械のニップ確認システムにおいて、前記親ギア回転角度演算部は、予め割り出しておく角度テーブルを参照して演算するようにしたものである。
【０００９】
一般に、ニップを確認するために操作者がローラ群を見る位置は、操作者のとれる姿勢、印刷機械の高さ、印刷機械の形状、構造によって自ずと決まっていると言ってよい。そこで、操作者の標準的な目の位置から見て、最もニップが見やすくなるローラ回転位置も決まる。その回転位置にニップを回転させる角度を予め計測しておき、親ギアの回転角度に置換してテーブル化しておき、それを参照するようにしておけば、対象ローラが対象ローラ選択部で決定された時点で、親ギアを何度どの方向に回転させればよいかが判断できる。
【００１０】
つぎの発明による印刷機械のニップ確認システムは、前記印刷機械のニップ確認システムにおいて、前記対象ローラのニップを確認した後、同一のローラに対して再度前記親ギア回転駆動部によりニップを確認するための回転をさせるか、次に確認したいローラに対して前記親ギア回転駆動部によりニップを確認するための回転をさせるか、の対象選択部を有するようにしたものである。
【００１１】
一般に、ニップの確認は、一つのローラだけに終わらない。また、ニップは、何度か確認するのが一般的である。そこで、一度ニップを確認した後、再度同じことを繰り返すか、次に確認が必要となるローラに確認作業を移すか、の選択ができれば、作業上円滑なニップ確認が可能となる。
【００１２】
つぎの発明による印刷機械のニップ確認システムは、前記印刷機械のニップ確認システムにおいて、前記親ギア回転駆動部の駆動に付随して、音声または機械操作部表示にていずれのローラを対象としているかを作業者に伝達する作業者補助部を有するようにしたものである。
【００１３】
ニップ確認作業は、主にユーザーが定期メンテナンスの一環として行う作業である。そこで、数あるローラのうち、どのローラのニップ確認が必要か、または自らが確認しようとしているローラはどれか、等の補助があれば便利となる。そこで、本発明では、ニップ確認に必要な情報を印刷機械の音声または機械操作部表示に表示する。
【００１４】
つぎの発明による印刷機械のニップ確認システムは、前記印刷機械のニップ確認システムにおいて、前記親ギア回転駆動部は、前記親ギア回転角度演算部で演算された角度だけ当該親ギアの回転駆動をする前に、ニップを消すのに十分な回転駆動をするようにしたものである。
【００１５】
ニップ確認する際に、過去についたニップが視認の妨げになるときがある。親ギア回転駆動部は、頭出しの際に、１〜数回ローラを回転させて、十分にニップ、すなわち履歴を消去させる。図５のステップＳ１１０で再度同じローラのニップを確認する場合には、寸前につけたニップが、再度の確認作業の妨げになるため、当該履歴消去回転させて、改めてニップ確認作業を進めるのが好ましい。
【００１６】
つぎの発明による印刷機械のニップ確認システムは、前記印刷機械のニップ確認システムにおいて、保護カバーの表側または裏側に設ける光源と、前記対象ローラ選択部で選択されるローラ位置に対して前記光源からの光を照射する角度を割り出す光照射角度演算部と、前記光照射角度演算部で割り出される角度だけ、前記光源または前記光源のシェードに設けられるスリットを回動させる回転駆動部と、を有するようにしたものである。
【００１７】
印刷ユニット内には、ローラが数多く、そして密に配設される。したがって、ローラによっては、ニップ確認のために広く顔を出しているとは限らない。また、知識としてはどのローラを確認せねばならないか判っていても、実際のローラ群中のどのローラが対象としているローラなのかはわかりにくい。そこで、この発明では、対象となるローラを選択すれば、光源が当該ローラのみを照らしだすようにしたので、ローラの特定が至極容易となる。
【００１８】
また、この発明にかかるプログラムは、ニップを確認するローラを選択する対象ローラ選択工程と、前記対象ローラ選択工程により選択された前記ローラを所望角度回転させるために必要となる親ギアの回転角度を割り出す親ギア回転角度演算工程と、前記親ギア回転角度演算部により割り出された角度だけ、親ギアを一定時間停止させた後に回転駆動させる親ギア回転駆動工程と、をコンピュータに実行させるようにしたものである。
【００１９】
つぎの発明にかかるプログラムは、前記プログラムにおいて、前記親ギア回転角度演算工程は、予め割り出しておく角度テーブルを参照して演算するようにしたものである。
【００２０】
つぎの発明にかかるプログラムは、前記プログラムにおいて、前記対象ローラのニップを確認した後、同一のローラに対して再度前記親ギア回転駆動工程によりニップを確認するための回転をさせるか、次に確認したいローラに対して前記親ギア回転駆動工程によりニップを確認するための回転をさせるか、の対象選択工程を有するようにしたものである。
【００２１】
つぎの発明にかかるプログラムは、前記プログラムにおいて、前記親ギア回転駆動工程は、前記親ギア回転角度演算工程で演算された角度だけ当該親ギアの回転駆動をする前に、ニップを消すのに十分な回転駆動をするようにしたものである。
【発明の効果】
【００２２】
この発明に係る印刷機械のニップ確認システムによれば、ニップ確認作業が容易となり、また、ローラの誤認を防止することができる。また、この発明に係るプログラムは、コンピュータに読み込まれることにより、コンピュータ等のハードウェアと共働して、上記ニップ確認システムとして機能する。
【発明を実施するための最良の形態】
【００２３】
以下、この発明につき図面を参照しつつ詳細に説明する。なお、この実施の形態によりこの発明が限定されるものではない。また、下記実施の形態における構成要素には、当業者が容易に想定できるもの、あるいは実質的に同一のものが含まれる。
【実施例】
【００２４】
図１は、一般的な印刷機械の構成を示す外観図である。一般に、印刷機械１は、大きく分けて給紙部Ｓ、印刷ユニットＰｒ、および排紙部Ｅとから構成される。印刷ユニットＰｒは、印刷に用いる色、たとえば、Ｋ（黒）、Ｃ（シアン）、Ｍ（マジェンタ）、Ｙ（イエロー）の４色を基調とするものであれば、４つから構成され、６色ならば６つ、８色ならば８つというように各色ごとに設けられる。
【００２５】
図２は、印刷ユニット内部のローラ群と、この発明の構成を示す模式図である。印刷ユニットの内部には、印刷に用いられる多数のローラ群が収められている。これらは、大きく分けると、インキローラと湿しローラとに分かれる。具体的には、Ａローラ２はインキ元ローラ、Ｃ１ローラ７、Ｃ２ローラ８、Ｋ１ローラ５、Ｋ２ローラ６はインキ往復ローラ、その他、Ｄローラ、Ｅローラ、Ｈローラ、Ｍローラ、Ｌローラ、Ｎローラ、およびＨＱローラはインキ練りローラ、ＪローラとＰローラはインキ練りローラ、Ｗローラ、Ｘローラ、Ｙローラ、Ｚローラはインキ着けローラ、ＤＴローラ４は水元ローラ、ＤＲローラはクロムローラ、ＤＱローラは水着けローラ、ＤＢローラは渡しローラというように、機能に応じて複数のローラが設けられている。
【００２６】
上記のローラ群は、一つの駆動源である親ギア１８から図中一点鎖線で表した多数のギアを介して連動されるか、または隣合うローラ同士の摩擦駆動によって連動される。ローラ群は、隣り合うローラと接触し、当該接触幅はニップ幅と称される。つまり、ニップは、接触による圧痕である。このニップ幅は、インキを練ったり、適切な薄さにインキを広げたりとその機能を適切に確保するために適切な幅であることが要求される。たとえば、図中、インキ往復ローラＫ１は、隣合うＷローラ、Ｘローラ、Ｌローラとのニップ幅がそれぞれ６、６、４（ｍｍ）となるときに適切に機能するように設計されている。
【００２７】
この発明では、ニップ幅を確認するローラを選択する対象ローラ選択部１０が設けられる。ニップ確認は対象となるローラ一つ一つについて行われるので、対象を絞り込み、確定するのが得策であるからである。そして、対象が絞りこまれると、対象ローラ選択部１０により選択されたローラ、たとえばＫローラの所望角度が、作業者の視線がＶ方向であると仮定して約９０度〜約１８０度回転させると良いことがわかる。
【００２８】
そして、「対象ローラ」の回転角度が上記のように具体的に定まると、回転させるために必要となる「親ギア１８」の回転角度が回転方向を含め、親ギア回転角度演算部１１によって割り出される。これは、「対象ローラ」と「親ギア１８」のギア比または隣り合うローラの径の比によって演算できる。また、予め演算した値をテーブルとしてデータベース（ＤＢ）化して有すると演算がより速くなって好ましい。
【００２９】
また、親ギア回転角度演算部１１を有すると、操作者の視点に応じて当該角度を補正することができる。たとえば、印刷機械には表面印刷ユニット、裏面印刷ユニットが存在するが、両者は、ローラに対する操作者の視点が大きく異なる。その場合であっても、この発明では、当該視点の異なりを親ギア回転角度演算部１１における三角関数演算によって補正可能となる。また、現場で、角度を微調整することもできる。演算部で割り出す角度に補正値を加減するのみで容易に実現できるからである。補正値は、印刷ユニットの操作盤で入力すればよいし、有線、無線によるリモコンであればなお良い。
【００３０】
親ギア回転角度演算部１１によって角度が割り出されると、これに連繋する親ギア回転駆動部１３が、親ギア１８を一定時間停止させた後に、所望の角度だけ、当該親ギア１８を回転駆動させる。ニップは、ローラ同士が接触する圧痕なので、当該圧痕をつけるために、親ギア１８が、一定時間停止する必要があるからである。これにより、操作者は、特に親ギア１８の回転方向、回転角度を気にせずに、対象ギアのニップを視認可能となる。
【００３１】
また、この発明では、親ギア回転駆動部１３の駆動に付随して、音声または機械操作部表示にて、対象ローラについての位置、状態等の情報を作業者に伝達する作業者補助部１４を有するようにしてもよい。ニップ確認作業は、主にユーザーが定期メンテナンスの一環として行う作業である。そこで、数あるローラのうち、どのローラのニップ確認が必要か、または自らが確認しようとしているローラはどれか、等の補助があれば便利となる。上記機械操作部とは、印刷機械全体を統括する操作部であってもよいが、印刷ユニットの操作部である方が操作者にとってより便利である。音声を出力するスピーカーも同様である。
【００３２】
図３および図４は、ローラの回転駆動状態を湿す説明図である。ここでは、ローラＫが対象ローラとして選択された場合を説明する。Ｋローラ５は往復ローラであり、インキを練る効果が高く、当該Ｋローラ５のニップ幅を確認することは重要となる。既述したように、Ｋローラ５は、Ｗローラ１５、Ｘローラ１６、Ｌローラ１７と接しており、これらのローラ１５、１６、１７とのニップ幅ａ、ｂ、ｃの確認が定期的に必要となる。そこで、たとえば、Ｋローラ５と、Ｗローラ１５との間に生じるニップ幅ａを確認するために、約９０度Ｋローラ５が時計回りに回転させられるようにする。
【００３３】
また、Ｋローラ５とＷローラ１５、Ｋローラ５とＸローラ１６、およびＫローラ５とＬローラ１７のそれぞれのニップ幅ａ、ｂ、ｃを同時に確認可能、つまり確認するのに十分な視認空間があれば、Ｋローラ５が１２０度ほど時計回りさせることにより、一度に３つのニップが確認できる。このように、対象とするローラによっては、一度に複数のニップの確認ができる配置となっている場合もあるので、その場合は、親ギアを当該角度回転させるように回転角度演算部で演算する。
【００３４】
【表１】
2007229954.tif 000003
【００３５】
ここで、一つずつニップが見えるように対象ローラを回転させるのに必要な親ギアの回転角度の割り出しについて具体例を示して説明する（表１参照）。例えば、対象ローラがＣ１ローラ７であったとする。Ｃ１ローラ７は、Ｅローラ、Ｂローラ、ＨＲローラ、およびＤローラと接触する。これらのローラとのニップ幅を確認するには、対象ローラたるＣ１ローラ７をそれぞれ２０度時計回り、１２０度時計回り、２０度反時計回り、１１０度反時計回りさせれば作業者の視認性が良好になるとする。このとき、親ギア１８と対象ローラのギアとの比（ここでは３：１とする）がわかっているから、親ギアは、それぞれ６０度時計回り、３６０度時計回り、６０度反時計回り、３３０度反時計回りさせればよいことになる。
【００３６】
同様にして、例えば、対象ローラがＫ１ローラ５であったとする。Ｋ１ローラ７は、Ｗローラ、Ｘローラ、およびＬローラと接触する。これらのローラとのニップ幅を確認するには、対象ローラたるＫ１ローラをそれぞれ９０度時計回り、１８０度時計回り、６０度反時計回りさせれば作業者の視認性が良好になるとする。このとき、親ギア１８と対象ローラのギアとの比（ここでは１：３とする）がわかっているから、親ギア１８は、それぞれ２７０度時計回り、５４０度時計回り、３６０度反時計回りさせればよいことになる。
【００３７】
一般に、ニップを確認するために作業者がローラ群を見る位置は、作業者のとれる姿勢、印刷機械の高さ、印刷機械の形状、構造によって自ずと決まっていると言ってよい。したがって、操作者の標準的な目の位置から見て、最もニップが見やすくなるローラ回転位置も決まる。その回転位置にローラを回転させる角度を予め計測しておき、親ギアの回転角度に置換してテーブル化しておき、それを参照するようにしておけば、対象ローラが対象ローラ選択部で決定された時点で、親ギアを何度どの方向に回転させればよいかが判断できる。
【００３８】
図５は、この発明にかかる工程を示すフローチャートである。まず、この発明では、印刷機械本来の印刷モードとは別にニップモードなるものを用意し、選択する工程を有するようにしておく（ステップＳ１０１）。これにより、印刷ユニットの本来の印刷動作が防止され、ニップ確認作業する者にとって安全となる。つぎに、対象ユニットが選択される工程を有する（ステップＳ１０２）。これは、特に複数の印刷ユニットを統合する統合操作盤から、各印刷ユニットに作業が移行することを示している。
【００３９】
そして、ニップ確認したい対象ローラが選択される工程を有する（ステップＳ１０３）。その後、頭出し（作業者が見やすい位置にローラを回転させること）が必要か否かについて作業者に尋ねる工程を設ける（ステップＳ１０４）。頭出しするかの問いに対してＹＥＳとの回答をしない間は、ループになり、回答待ちとなる。図示したように、当該ループの途中でニップ確認作業を中止するかの判断をする工程を有するようにしてもよい（ステップＳ１０５）。
【００４０】
頭出しするとの回答が得られれば、ニップ幅を明確にするため対象ローラが所定時間停止しているかを作業者に尋ねる工程を設けておく（ステップＳ１０６）。そして、対象ローラが所定時間停止していれば、親ギア回転角度が予め設定されたＤＢを参照し（ステップＳ１０７）、実際にコンピュータ、アンプ、インバータ、電動機を介して親ギアを頭出し回転駆動させる工程をこの発明は有する（ステップＳ１０８）。
【００４１】
対象ローラのニップ幅を確認した後は、同一のローラに対して再度親ギア回転駆動部によりニップを確認するための回転をさせるか、次に確認したいローラに対して親ギア回転駆動部によりニップを確認するための回転をさせるか、一つ前にニップ確認したローラに対象を戻すか、または他のローラに対象を移すかの選択ができる工程を設ける（ステップＳ１０９〜１１２）。同一のローラの確認作業を複数回するのは、同一ローラのニップ幅を念のためもう一度確認したいという場合も少なくないからである。
【００４２】
また、順調に確認作業が進めば、つぎのローラのニップ確認に作業が移るであろうし、前に確認したニップの再確認作業をしたい場合に、上記対象ローラの移行ステップは作業を円滑に進める上で有用となる。なお、次のローラを回転させる場合、一つ前のローラを回転させる場合、および他のローラを回転させる場合は、対象ローラの変更を可能にする工程を設けておく（ステップＳ１１４、Ｓ１１５、Ｓ１０３）。ニップ確認作業が終了したときは、終了を選べる工程を用意しておく（ステップＳ１１３）。
【００４３】
図６は、図５のＰ点へ追加可能となる構成の例を示すフローチャートである。ニップ幅は、ローラにインキが巻いてない（載ってない）とうまく確認することができない。そこで、図５のフローのＰ点に、インキが巻いてあるか否かという判断する工程を設ける（ステップＳ１０２１）。そして、もし、ローラにインキが巻いてなければ、インキをインキ皿に充填し、各ローラを回転させて、インキが巻かれる（ステップＳ１０２２）。この工程は、メーカーにおける出荷前のニップ確認作業、またはユーザーにおけるインキ充填不足のときに有用となる。
【００４４】
図７は、図５の範囲Ｑに追加可能となる構成の例を示すフローチャートである。ここでは、ニップ履歴の消去工程に特徴がある。ニップ履歴とは、ローラについている濃淡のニップをいう。ニップ確認する際に、過去についたニップが視認の妨げになるときがある。この工程では、頭出し（ステップＳ１０４）の際に、１〜数回ローラを回転させて、十分にニップ、すなわち履歴を消去させる（ステップＳ１０４１）。図５のステップＳ１１０で再度同じローラのニップを確認する場合には、寸前につけたニップが、再度の確認作業の妨げになるため、当該履歴消去回転させて、改めてニップ確認作業を進めるのが好ましい。
【００４５】
図８は、光源を利用した発明の構成を示す模式図である。対象ローラ選択部１０、親ギア回転角度演算部１１、データベース（ＤＢ）１２、および親ギア回転駆動部１３という基本的な構成は、図２に示したものと同様である。この発明では、ニップ確認作業の対象となる対象ローラが、対象ローラ選択部１０によって選択された際に、当該対象ローラにスポットライトを当てる。
【００４６】
当該発明の構成は、保護カバー２５の表側または裏側に設ける光源２３と、対象ローラ選択部１０で選択されるローラ位置（図ではＣ２ローラ）に対して光源２３からの光が照射される角度を割り出すスリット角度演算部２０と、当該スリット角度演算部２０で割り出される角度だけ、前記光源２３のシェード２２に設けられるスリット２４を回動させるスリット回転駆動部２１とを有する。なお、シェード２２のスリット２４ではなく、指向性が強い光源２３自体を回動駆動して、対象ローラに光照射するようにしてもよい。このとき、スリット角度演算部は、光照射角度演算部として機能し、スリット回転駆動部２１は、光源の回転駆動部として機能する。
【００４７】
印刷ユニット内には、ローラが数多く、そして密に配設される。したがって、ローラによっては、ニップ確認のために広く顔を出しているとは限らない。また、知識としてはどのローラを確認せねばならないか判っていても、実際のローラ群中のどのローラが対象としているローラなのかはわかりにくい。そこで、この発明では、対象となるローラを選択すれば、光源が当該ローラのみを照らしだすようにしたので、ローラの特定が至極容易となる。また、ローラに光源を当てることにより、ニップが浮かび上がり視認性が向上する。
【００４８】
図９は、保護カバーからみたローラ群の例を示す外観図である。一般に、作業者が保護カバー２５からローラ群を見ると、図のように見える。ここでは、図８のＶ方向からＨＱローラからＳローラまでを見たときの例を示している。上記したように、ローラは、密に配設されているので、知識としは得ているローラが、実際のどのローラであるかを把握しにくい。そこで、対象ローラが選択されたときの電気的情報を元に、当該ローラの位置にだけ、光源を当てて対象ローラを明確に視認できるようにした。
【００４９】
図１０は、対象ローラに光源をあてたときの状態を示す外観図である。図示したように、対象ローラであるＣ２ローラの位置にだけ、光源からの光がスポットライト２６として当てられ、他のローラと明確に区別できる。この状態で、対象ローラの頭出しすれば、ニップ確認作業が極めて容易かつ確実となる。図８の構成中、スリット角度演算部２０は、光源２３を設ける位置と、各ローラの位置とで決定される回転角度をあらかじめ調べてデータベース（ＤＢ）として有しておけばよい。また、光源の回動またはスリットの回動にサーボモータを使用して手動で角度をティーチングし、記憶させるようにしてもよい。
【００５０】
以上説明したように、この発明に係る印刷機械のニップ確認システム、およびこれをコンピュータに機能させるためのプログラムによれば、印刷機械のニップ確認が容易となる。確認対象となるローラが自動的に頭出しされれば、ローラを凝視してニップを探す手間が省ける。また、対象ローラが版胴であれば、版を保持するための凹部を容易に避けてニップ確認することができるという利点がある。このため、保護カバーを開けて、ローラを駆動させなくても、容易にニップを確認することができる。これは作業の安全上、大変重要である。また、簡単なボタン操作で、頭出しされれば、複数のローラについてニップ確認する作業時間全体の短縮になる。さらに、光源をうまく利用するので、一見してどのローラが確認対象か判断でき、保護カバーを開けなくても十分に他のローラと区別がつき、至極便利である。
【００５１】
この発明に係る印刷機械のニップ確認システムのハードウェア構成については、ＣＩＳＣ（Complex Instruction Set Computer）またはＲＩＳＣ（Reduced Instruction Set Computer）であるＣＰＵまたはＤＳＰ（Digital Signal Processor）といったプロセッサーを中心に、ＲＯＭ，ＲＡＭ、入出力インターフェース（Ｉ／Ｏ）、およびユーザーインターフェースをバスで接続した構成にするのが一般的である。なお、バスにはハードディスク、ＭＯ、ＣＤ−Ｒ／ＲＷドライブ、フレキシブルディスクドライブ等の記録装置や、ポータブル不揮発性メモリ等の記録媒体の接続を可能にするシリアルバスを設けておくのが好ましい。
【００５２】
プロセッサーの実行プログラムは、ＲＯＭに予め格納される。また、このＲＯＭには、入出力インターフェースとの通信プログラムやユーザーインターフェースと入出力するためのプログラムも格納される。入出力インターフェースには、その先に接続されるデバイス（対象ローラ選択ボタン、親ギアを駆動させる電動機、アンプまたはインバータ、ロータリーエンコーダ、光源回転用電動機、光源スリット回転用電動機、アンプ）に応じてＡ／Ｄコンバータ、Ｄ／Ａコンバータが設けられる。なお、ここでは、ソフトウェアによるデジタル処理を想定して説明したが、ハードウエアによるアナログ処理で実現されるものであってもよい。
【００５３】
対象ローラ選択ボタン（ハードウェアによるボタンであると、ソフトウェアによるボタンであるとを問わない）が押されると、ＲＯＭ、ＲＡＭ、ＨＤＤ等で構築される記憶部に記憶された親ギア回転角度を親ギア回転角度演算部が読み出し、または独自に演算し、当該角度に対応した電気的信号を入出力インターフェースから、アンプに出力する。その際、電動機に付設されるロータリーエンコーダからの角度フィードバックがあれば、より正確に電動機を制御できる。光源の角度制御、または光源のシェードの回転角度制御も上記と同様に行われる。
【産業上の利用可能性】
【００５４】
以上のように、本発明にかかる印刷機械のニップ確認システム、およびこれをコンピュータに機能させるプログラムは、印刷機械の定期メンテナンスに有用である。
【図面の簡単な説明】
【００５５】
【図１】一般的な印刷機械の構成を示す外観図である。
【図２】印刷ユニット内部のローラ群と、この発明の構成を示す模式図である。
【図３】ローラの回転駆動状態を湿す説明図である。
【図４】ローラの回転駆動状態を湿す説明図である。
【図５】この発明にかかる工程を示すフローチャートである。
【図６】図５のＰ点へ追加可能となる構成の例を示すフローチャートである。
【図７】図５の範囲Ｑに追加可能となる構成の例を示すフローチャートである。
【図８】光源を利用した発明の構成を示す模式図である。
【図９】保護カバーからみたローラ群を示す外観図である。
【図１０】対象ローラに光源をあてたときの状態を示す外観図である。
【符号の説明】
【００５６】
１  印刷機械
２、４，５，６、７、８、１５、１６、１７  ローラ
Ｓ  給紙部
Ｐ  印刷ユニット
Ｅ  排紙部
１０  対象ローラ選択部
１１  親ギア回転角度演算部
１３  親ギア回転駆動部
１４  作業者補助部
１８  親ギア
２０  スリット角度演算部
２１  スリット回転駆動部
２２  シェード
２３  光源
２４  スリット
２５  保護カバー
２６  スポットライト
【図１】
2007229954.tif 000004
【図２】
2007229954.tif 000005
【図３】
2007229954.tif 000006
【図４】
2007229954.tif 000007
【図５】
2007229954.tif 000008
【図６】
2007229954.tif 000009
【図７】
2007229954.tif 000010
【図８】
2007229954.tif 000011
【図９】
2007229954.tif 000012
【図１０】
2007229954.tif 000013